(57)【要約】【課題】遊技機内の効率的な冷却を可能にした遊技機を提供する。【解決手段】遊技場の遊技島に設置される筐体２と、筐体２の前面に設けられる前扉３とを備え、内部に電気機器を収容した遊技機において、前扉３の上部に遊技場に臨む吸気口33を設けるとともに、前扉３の裏面側における吸気口33の下方に、遊技場の雰囲気を吸気口33から遊技機１内に吸込可能な冷却ファン45を設ける。【選択図】図２
2007143915.tif 000002
【特許請求の範囲】
【請求項１】
遊技場の遊技島に設置される筐体と、該筐体の前面に設けられる前扉とを備え、内部に電気機器を収容した遊技機において、
前記前扉の上部に前記遊技場に臨む吸気口を設けるとともに、前記前扉の裏面側における前記吸気口の下方に、前記遊技場の雰囲気を前記吸気口から前記遊技機内に吸込可能な冷却ファンを設けたことを特徴とする遊技機。
【請求項２】
遊技島内に収容される筐体の後面下部に排気口を設けたことを特徴とする請求項１記載の遊技機。
【請求項３】
電気機器は、前扉の裏面側における吸気口の下方に配置され、かつ情報を表示するための表示ユニットであって、冷却ファンを該表示ユニットの上部に設けたことを特徴とする請求項１または２記載の遊技機。
【請求項４】
表示ユニットは、情報を制御するための電子部品が取り付けられた表示基板と、該電子部品によって制御された情報を表示するための表示部と、前記表示基板を覆うカバーとを有し、該カバーの後面及び下面に、冷却ファンにより吸い込んだ遊技場の雰囲気を遊技機内に放出可能な放出口を設けたことを特徴とする請求項３記載の遊技機。
【発明の詳細な説明】
【技術分野】
【０００１】
本発明は、遊技場の遊技島に設置される筐体と、該筐体の前面に設けられる前扉とを備え、内部に電気機器を収容した遊技機に関する。
【背景技術】
【０００２】
パチンコ機、スロットマシン等の遊技機は、遊技場の遊技島に設置される筐体と、筐体の前面に設けられる前扉とを備え、内部に電気機器（例えば、各種モータ、ランプ、電源、電子素子を実装した各種基板等）を収容するとともに、電気機器の発熱を冷却するための冷却ファンを設けている（例えば、特許文献１参照）。
【特許文献１】特開平９−３０８７３５号公報
【発明の開示】
【発明が解決しようとする課題】
【０００３】
しかし、上記特許文献１に記載された遊技機においては、筐体内に設けられた冷却ファンにより、電気機器の駆動に伴って温度上昇した遊技機内の雰囲気を電気機器の発熱部分に送風するため、冷却効率が悪く、電気機器の動作許容範囲を超えて、故障の原因を招くおそれがある。
【０００４】
本発明は、上述のような課題に鑑み、遊技機内の効率的な冷却を可能にした遊技機を提供することを目的とする。
【課題を解決するための手段】
【０００５】
本発明によると、上記課題は、次のようにして解決される。
（１）遊技場の遊技島に設置される筐体と、該筐体の前面に設けられる前扉とを備え、内部に電気機器を収容した遊技機において、前記前扉の上部に前記遊技場に臨む吸気口を設けるとともに、前記前扉の裏面側における前記吸気口の下方に、前記遊技場の雰囲気を前記吸気口から前記遊技機内に吸込可能な冷却ファンを設ける。
【０００６】
（２）上記(１)項において、遊技島内に収容される筐体の後面下部に排気口を設ける。
【０００７】
（３）上記(１)または(２)項において、電気機器は、前扉の裏面側における吸気口の下方に配置され、かつ情報を表示するための表示ユニットであって、冷却ファンを該表示ユニットの上部に設ける。
【０００８】
（４）上記(３)項において、表示ユニットは、情報を制御するための電子部品が取り付けられた表示基板と、該電子部品によって制御された情報を表示するための表示部と、前記表示基板を覆うカバーとを有し、該カバーの後面及び下面に、冷却ファンにより吸い込んだ遊技場の雰囲気を遊技機内に放出可能な放出口を設ける。
【発明の効果】
【０００９】
本発明によれば、次のような効果が奏せられる。
（ａ）請求項１記載の発明によると、遊技機内に比して低温である遊技場の雰囲気を冷却ファンにより遊技機内に吸い込むようにしたため、遊技機内を効率的に冷却することが可能となる。よって、遊技機内に収容された遊技機器を効率的に冷却することができる。
【００１０】
（ｂ）請求項２記載の発明によると、温度上昇した遊技機内の雰囲気を効率的に筐体の後部から排気することができる。
【００１１】
（ｃ）請求項３記載の発明によると、情報を表示するための表示ユニットを効率的に冷却することができる。
【００１２】
（ｄ）請求項４記載の発明によると、発熱し易い表示基板の電子部品を効率的に冷却することができるとともに、表示ユニットのカバーの放出孔から放出された雰囲気が遊技機内を流動して、遊技機内の雰囲気が滞留することがなくなり、表示ユニット以外の電気機器を効率的に冷却することができる。
【発明を実施するための最良の形態】
【００１３】
図１は、本発明の一実施形態を適用した遊技機（スロットマシン）の斜視図、図２は、遊技機の縦断面図である。なお、以下の説明では、図１における左斜め下方、図２における左方を「前方」とし、図１における右斜め上方、図２における右方を「後方」とする。
【００１４】
遊技機(１)は、前面が開口した筐体(２)と、筐体(２)の前面に開閉可能に設けられる前扉(３)とを備え、その内部には、各種電気機器（例えば、後述の表示ユニット(４)、回転リール(５)の制御基板（図示略）、各種モータ（図示略）、主制御基板(８)、ホッパーユニット(９)、電源装置(10)、副制御基板(11)）が収容されるとともに、図３に示すように、遊技店の遊技島(101)に設置される。具体的には、前扉(３)の前面が遊技店の遊技場（遊技者が遊技を行なう領域）(100)に臨むとともに、筐体(２)の後部が遊技島(101)内に収容されるように設置される。また、遊技島(101)の両側に遊技機(１)(１)が設置される場合には、筐体(２)(２)の背面同士が向き合うように設置される。
【００１５】
図１に示すように、前扉(３)の前面には、その裏面側に配置される表示ユニット(４)の後述の表示部(41)に表示される情報を透視可能な演出情報表示窓(31)及び回転リール(５)の識別情報を３こまずつ透視可能な識別情報表示窓(32)、遊技を行うときにメダルが投入されるメダル投入部(６)及び操作配置部(７)が設けられている。さらに、前扉(３)における演出情報表示窓(31)の上方の上面（遊技場(100)に臨む面）には、遊技場(100)内の雰囲気を遊技機(１)内に吸込可能な吸気口(33)が設けられている。
【００１６】
操作配置部(７)には、クレジット状態（ゲームが入賞したとき賞品として付与されるメダルやメダル投入部(６)に投入されたメダルを主制御基板(８)に設けたメモリに電気的に蓄積する状態）のメダルをゲームに最大（例えば、３枚）投資するときに操作されるＭＡＸベットボタン(71)、各回転リール(５)を回転させるときに操作されるスタートレバー(72)、各回転リール(５)の回転を停止させるときに操作される３個のストップボタン(73)等が設けられている。
【００１７】
図２に示すように、筺体(２)内には、上方から遊技全体を統括的に制御する主制御基板(８)、外周面に複数種類の図柄、数字等で構成される識別情報が描かれた左、中、右３個の回転リール(５)、主制御基板(８)の指令に基づいて表示ユニット(４)に制御信号を出力可能な副制御基板(11)、メダルを貯留及び払出可能なホッパーユニット(９)、及び主制御基板(８)やその他の電気機器へ電力を供給する電源装置(10)等が収容されている。
【００１８】
主制御基板(８)、回転リール(５)を制御するための制御基板（図示略）、副制御基板(11)及びホッパーユニット(９)を制御するための制御基板には、電源が供給されることによって発熱し易い各種電子部品が設けられている。したがって、概ね密閉状態にある遊技機(１)内は、冷房設備によって遊技者が遊技を行なうのに最適な環境に保たれている遊技場(100)の温度に比して、極めて高温の環境下にある。
【００１９】
遊技機(１)のゲームは、遊技者がメダルをメダル投入部(６)に投入した後、ＭＡＸベットボタン(71)によりメダルの賭数を設定した後、スタートレバー(72)を操作して、全ての回転リール(５)を回転させることによって開始される。
【００２０】
回転リール(５)が回転して所定時間が経過した後、３個のストップボタン(73)を順次操作して、各回転リール(５)の回転を停止させ、有効ラインに並ぶ各回転リール(５)の識別情報の組み合わせにより、入賞の有無、及び賞の大小に応じたメダルの配当枚数が確定される。入賞した場合には、予め定めた入賞枚数分だけそのときのクレジット数に加算される。クレジット数が限度枚数（例えば、５０枚）を超過した場合には、その超過分に相当する数のメダルがホッパーユニット(９)から前扉(３)の下部に設けられた受け皿(34)に払い出される。
【００２１】
表示ユニット(４)は、図２に示すように、前扉(３)の裏面側における吸気口(33)の下方に配置されるとともに、図４、５に示すように、情報を表示するための液晶画面等により構成される表示部(41)と、表示部(41)の裏面側に取り付けられるとともに、情報を制御するＣＰＵ(42a)等の電子部品を実装し、制御した情報を表示部(41)に表示させる表示基板(42)と、表示基板(42)の裏面側を覆うカバー(43)とを有し、カバー(43)の上部に設けられる吸気筒(44)内には、表示基板(42)の実装面（ＣＰＵ(42a)が実装された面）に沿って送風するための冷却ファン(45)が設けられている。
【００２２】
冷却ファン(45)は、表示ユニット(４)の上部で、かつ前扉(３)の吸気口(33)の真下に設置されることにより、冷却ファン(45)がモータ（図示略）の駆動により回転すると、遊技場(100)内の雰囲気を吸気口(33)から遊技機(１)内に吸い込んで、その吸い込んだ遊技場(100)内の雰囲気を表示基板(42)の実装面とカバー(43)との間の間隙に送風する。したがって、遊技機(１)内の温度に比して低温である遊技場(100)内の雰囲気によって、表示基板(42)に実装された発熱部分のＣＰＵ(42a)を効率的に冷却することが可能となる。
【００２３】
さらに、表示基板(42)の実装面とカバー(43)との間の間隙に送風された遊技場(100)の雰囲気は、カバー(43)の後面及び下面に設けられた送出口(43a)から遊技機(１)内に送出され、表示ユニット(４)の後方に設置された主制御基板(８)、同じく下方に設置された回転リール(５)の制御基板、ホッパーユニット(９)、電源装置(10)等の発熱部分を冷却して、筐体(２)の後面の後板(21)に穿設された複数の排気口(21a)から遊技島(101)に排出される。この結果、遊技機(１)内の温度に比して低温である遊技場(100)内の雰囲気によって、遊技機(１)内に収容される表示ユニット(４)、及びその他の電気機器を効率的に冷却することが可能となり、また、遊技機(１)内の温度上昇も効率的に抑えることができる。
【００２４】
以上、本発明の実施形態について説明したが、本発明の要旨を逸脱しない範囲内で、本実施形態に次のような種々の変形や変更を施すことが可能である。
（ｉ）ゲーム中には、冷却ファン(45)は常時回転しているため、針金等の不正具を吸気口(33)から遊技機(１)内へ侵入させることは基本的に不能であるが、不正具の侵入をより確実に阻止するため、吸気口(33)に網目状のネットを張ったり、不正具の侵入を検知可能なセンサを設ける。
【００２５】
（ii）遊技機(１)を遊技媒体がパチンコ玉であるパチンコ機またはスロットマシンとする。
（iii）冷却ファン(45)を表示ユニット(４)以外の他の電気機器に設ける。
【図面の簡単な説明】
【００２６】
【図１】本発明の一実施形態を適用した遊技機の斜視図である。
【図２】遊技機の縦断面図である。
【図３】遊技機の取付け状態を示す模式図である。
【図４】本発明に係わる表示ユニットの斜視図である。
【図５】本発明に係わる表示ユニットを裏から見た分解斜視図である。
【符号の説明】
【００２７】
(１)遊技機（スロットマシン）
(２)筐体
(３)前扉
(４)表示ユニット（表示ユニット、電気機器）
(５)回転リール
(６)メダル投入部
(７)操作配置部
(８)主制御基板（電気機器）
(９)ホッパーユニット（電気機器）
(10)電源装置（電気機器）
(11)副制御基板（電気機器）
(21)後板
(21a)排気口
(31)演出情報表示窓
(32)識別情報表示窓
(33)吸気口
(34)受け皿
(41)表示部
(42)表示基板
(42a)ＣＰＵ
(43)カバー
(43a)送出口
(44)吸気筒
(45)冷却ファン
(71)ＭＡＸベットボタン
(72)スタートレバー
(73)ストップボタン
(100)遊技場
(101)遊技島
【図１】
2007143915.tif 000003
【図２】
2007143915.tif 000004
【図３】
2007143915.tif 000005
【図４】
2007143915.tif 000006
【図５】
2007143915.tif 000007